(57)【要約】【課題】光学シートにタブを形成することなく、面状照明装置における光学シートの位置決めを確実に行う。【解決手段】複数の光学シート１８の、導光板１２の入光面１２ｃ側の端縁部１８１ａ、１８２ａ、１８３ａの位置が、導光板１２の出射面１２ａから数えた積層段が上段の光学シートほど、導光板１２の入光面１２ｃから離間するように形成される。導光板１２の出射面１２ａを平面視する態様で、各光学シート１８の、導光板１２の入光面１２ｃ側の端縁部１８１ａ、１８２ａ、１８３ａが、各々の上段に位置する光学シートに覆われることなく露出する。各光学シート１８の露出する端縁部１８１ａ、１８２ａ、１８３ａに対し、遮光部材２０が、導光板１２の入光面１２ｃ側から延びることで、全ての光学シート１８１、１８２、１８３の各端縁部１８１ａ、１８２ａ、１８３ａ近傍が、遮光部材２０によって固定される。【選択図】図１
2013171723.tif 000002
【特許請求の範囲】
【請求項１】
対向する一対の主面の一方を光の出射面とする導光板と、該出射面に積層配置される複数の光学シートと、前記出射面の有効エリアを規定する遮光部材と、前記導光板の入光面に対向して配置される光源と、これらの構成要素を収納するためのフレームとを含む面状照明装置であって、
前記複数の光学シートは、前記出射面から数えた積層段が上段の光学シートほど、前記導光板の入光面側の端縁部の位置が、前記導光板の入光面から離間するように形成され、かつ、前記遮光部材が、前記導光板の入光面側から前記複数の光学シートの各端縁部近傍を覆うようにして延び、各光学シートに固定されていることを特徴とする面状照明装置。
【請求項２】
前記導光板の出射面の、前記入光面から中央部寄りの所定幅の範囲には、前記対向する一対の主面間の厚みを導光板の中央部に向けて薄くする傾斜面が形成され、該傾斜面よりも中央部寄りの範囲は一定の厚みとなっており、
前記複数の光学シートの、前記導光板の入光面側の端縁部から所定幅の範囲が、前記導光板の出射面に形成された傾斜面に倣って傾斜していることを特徴とする請求項１記載の面状照明装置。
【請求項３】
前記複数の光学シートのうち、前記出射面から数えた積層段が最上段に位置する光学シートは、その下段に位置する光学シートの傾斜面に掛かることなく、前記導光板の一定の厚みの部分の出射面と平行に配置されていることを特徴とする請求項２記載の面状照明装置。
【請求項４】
前記複数の光学シートのうち、前記出射面から数えた積層段が最上段に位置する光学シートの上面と、その直ぐ下段に位置する光学シートの、前記導光板の入光面側の端縁部の上側エッジとの、前記複数の光学シートの積層方向に係る位置が、一致ないし略一致していることを特徴とする請求項３記載の面状照明装置。
【請求項５】
前記複数の光学シートのうち、前記出射面から数えた積層段が最下段に位置する光学シートの、前記導光板の入光面側の端縁部の上側エッジに対し、その直ぐ上段に位置する光学シートの、前記導光板の入光面側の端縁部の上側エッジの、前記複数の光学シートの積層方向に係る位置が、下方に位置していることを特徴とする請求項２から４のいずれか１項記載の面状照明装置。
【請求項６】
前記複数の光学シートは、前記導光板の出射面から数えた積層段が一段目の第１シートと、該第１シート上に積層される第２シートと、該第２シート上に積層される第３シートとを含むことを特徴とする請求項１から５のいずれか１項記載の面状照明装置。
【発明の詳細な説明】
【技術分野】
【０００１】
本発明は、液晶表示装置等の照明手段として用いられる面状照明装置に関するものである。
【背景技術】
【０００２】
今日、パーソナルコンピュータや携帯電話等の電子装置の表示デバイスとして、液晶表示装置が一般的に使用されている。液晶は自発光型の表示素子ではないため、例えば透過型の液晶表示装置では、その液晶パネルに対して光を照射する照明手段が必須であり、外光を利用する半透過型の液晶表示装置でも、暗所での使用を可能にするために補助的な照明手段を備えている。このような液晶表示装置の照明手段としては、導光板と導光板の側方に配置された光源とを主要な構成要素とする面状照明装置が、薄型化が容易であるという利点を有することから、液晶表示装置と組合せて広く使用されている。又、近年の白色発光ダイオード（ＬＥＤ）の高性能化に伴い、面状照明装置のさらなる小型・薄型化及び低消費電力化を図るため、光源として白色ＬＥＤを使用した面状照明装置も一般的となっている。
【０００３】
このような面状照明装置を備える表示装置の一例を、図６に示している。図６において、表示装置１００は、一対のガラス基板１１２及び偏光板１１４からなる液晶表示パネル（ＬＣＤ）１１０と、ＬＣＤ１１０の裏面側に配置された、対向する一対の主面の一方（表面）を光の出射面とする導光板１１６と、導光板１１６の裏面側に配置された反射シート１１８と、ＬＣＤ１１０及び導光板１１６の間に配置された複数層（図６の例では４層）の光学シート１２０といった、複数の板状（又はシート状）部材を構成要素として含んでいる。そして、これらの構成要素が、導光板１１６の入光面１１６ａ（図６（ｃ））に対向して配置される白色ＬＥＤ等の点状光源１２２と共に、合成樹脂材料からなるフレーム１２４の枠状内部に格納され、一体の表示装置１００として構成されたものである。
【０００４】
このような構成を有する表示装置１００において、ＬＣＤ１１０は、フレーム１２４の内側に突出するように形成された取付座１２４ａに対して、両面テープ１２６（図６（ｂ））を介して固定されている。又、光学シート１２０は、例えば、拡散シート、プリズムシート等を含み、ＬＣＤ１００と同様に、両面テープ１２６を介してフレーム１２４の取付座１２４ａに固定されている。更に、反射シート１１８についても、フレーム１２４の内側に突出するように形成された取付座１２４ｂに対して、両面テープ１２７によって固定されている。更に、点状光源１２２と導光板１１６の入光面１１６ａ（図６（ｃ））とを覆う遮光部材１２８が配置されている。なお、図６（ｃ）中の符号１３０は両面テープ、符号１３２は点状光源の配線基板である。（例えば、特許文献１参照）。
又、光学シート１２０の位置決めを確実にするために、光学シート１２０の端辺には、図５（ａ）に示されるようなタブ１２０ａが形成され、フレーム１２４の対応する位置には、タブ１２０ａを受け入れるための相補的な形状を有する凹部１２４ｃが形成されている。よって、光学シート１２０は、フレーム１２４に対して、図５（ａ）に示されるように、互いに直交する矢印Ａ、Ｂ方向の位置決めがなされるものとなる（例えば、特許文献２、３参照）。
【先行技術文献】
【特許文献】
【０００５】
【特許文献１】特開２０１０−２２４０００号公報
【特許文献２】特開２００９−２６５２３７号公報
【特許文献３】特開２００６−１５４３２０号公報
【発明の概要】
【発明が解決しようとする課題】
【０００６】
上述の如く、表示装置１００は、ＬＣＤ１１０を額縁状に囲むように配置されるフレーム１２４によって、必要な構成部品が一体に保持され、かつ、必要な強度が確保される構造を有している。ところで、表示装置１００の小型化といった機能性の観点のみならず、デザイン上の観点からも、表示装置１００に対する狭額縁化は常に要請されている。この狭額縁化を促進するために、フレーム１２４の厚み（図５（ａ）の矢印Ｂ方向の厚み）を薄くしていくと、光学シート１２０のタブ１２０ａを受け入れるための凹部１２４ｃを確保することが困難となる。そして、光学シート１２０の位置決めが不十分となるおそれがあることから、表示装置１００の狭額縁化の要請を満たす上での障害となっている。又、光学シート１２０のタブ１２０ａが、表示装置１００を構成する面状照明装置の輝度むらの発生要因ともなり得るものである。
本発明は、上記課題に鑑みてなされたものであり、その目的とするところは、光学シートにタブを形成することなく、面状照明装置における光学シートの位置決めを確実に行うことを可能とし、面状照明装置の更なる狭額縁化を促進することにある。又、光学シートのタブに起因する、面状照明装置の輝度むらの発生を抑制することにある。
【課題を解決するための手段】
【０００７】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００８】
（１）対向する一対の主面の一方を光の出射面とする導光板と、該出射面に積層配置される複数の光学シートと、前記出射面の有効エリアを規定する遮光部材と、前記導光板の入光面に対向して配置される光源と、これらの構成要素を収納するためのフレームとを含む面状照明装置であって、前記複数の光学シートは、前記出射面から数えた積層段が上段の光学シートほど、前記導光板の入光面側の端縁部の位置が、前記導光板の入光面から離間するように形成され、かつ、前記遮光部材が、前記導光板の入光面側から前記複数の光学シートの各端縁部近傍を覆うようにして延び、各光学シートに固定されている面状照明装置（請求項１）。
本項に記載の面状照明装置は、複数の光学シートのうち、出射面から数えた積層段が上段の光学シートほど、導光板の入光面側の端縁部の位置が、導光板の入光面から離間するように形成されることにより、導光板の出射面を平面視する態様で、各光学シートの、導光板の入光面側の端縁部が、各々の上段に位置する光学シートに覆われることなく露出する。この、各光学シートの露出する端縁部に、遮光部材が、導光板の入光面側から複数の光学シートの各端縁部近傍を覆うようにして延びることで、全ての光学シートの各端縁部近傍の露出部分が、遮光部材によって固定されるものである。なお、各光学シートに対する遮光部材の固定には、例えば、両面テープや接着剤等を用いることとする。
【０００９】
（２）上記（１）項において、前記導光板の出射面の、前記入光面から中央部寄りの所定幅の範囲には、前記対向する一対の主面間の厚みを導光板の中央部に向けて薄くする傾斜面が形成され、該傾斜面よりも中央部寄りの範囲は一定の厚みとなっており、前記複数の光学シートの、前記導光板の入光面側の端縁部から所定幅の範囲が、前記導光板の出射面に形成された傾斜面に倣って傾斜している面状照明装置（請求項２）。
本項に記載の面状照明装置は、複数の光学シートの、導光板の入光面側の端縁部から所定幅の範囲が、導光板の出射面に形成された傾斜面に倣って傾斜していることにより、導光板の入光面側から複数の光学シートの各端縁部近傍を覆うようにして延びる遮光部材が、各光学シートの傾斜面に沿って固定される。これによって、導光板の入光面側から延びる遮光部材に、急峻な折り曲げ部が形成されることを防ぎ、各光学シートに対する遮光部材の固定強度を十分に確保するものである。
【００１０】
（３）上記（２）項において、前記複数の光学シートのうち、前記出射面から数えた積層段が最上段に位置する光学シートは、その下段に位置する光学シートの傾斜面に掛かることなく、前記導光板の一定の厚みの部分の出射面と平行に配置されている面状照明装置（請求項３）。
本項に記載の面状照明装置は、出射面から数えた積層段が最上段に位置する光学シートについては、導光板の一定の厚みの部分の出射面と平行に配置されることで、導光板の入光面側から複数の光学シートの各端縁部近傍を覆うようにして延びる遮光部材の先端部の近傍も、最上段に位置する光学シート上で、導光板の出射面と平行に配置されることとなる。そして、導光板の出射面と平行な遮光部材の面上に、ＬＣＤの偏光フィルム等の被照明体を搭載することで、被照明体の安定を図るものである。
【００１１】
（４）上記（３）項において、前記複数の光学シートのうち、前記出射面から数えた積層段が最上段に位置する光学シートの上面と、その直ぐ下段に位置する光学シートの、前記導光板の入光面側の端縁部の上側エッジとの、前記複数の光学シートの積層方向に係る位置が、一致ないし略一致している面状照明装置（請求項４）。
本項に記載の面状照明装置は、最上段に位置する光学シートの上面と、その直ぐ下段に位置する光学シートの、導光板の入光面側の端縁部の上側エッジとの、光学シートの積層方向に係る位置が一致ないし略一致していることによって、遮光部材の先端部近傍の、光学シートの積層方向に係る位置が、導光板の出射面と平行に配置されることとなる。すなわち、遮光部材の先端部近傍は、最上段に位置する光学シートの上面のみならず、その直ぐ下段に位置する光学シートの端縁部の上側エッジによっても、複数の光学シートの積層方向に係る位置が、一致ないし略一致する態様で支持されることで、遮光部材の先端部近傍は、より広範囲に渡り、導光板の出射面と平行に、安定支持されるものとなる。なお、本説明において、「略一致」の語は、各構成要素の寸法精度や組付精度の観点から、許容可能な範囲での不一致を許容する趣旨である。
【００１２】
（５）上記（２）から（４）項において、前記複数の光学シートのうち、前記出射面から数えた積層段が最下段に位置する光学シートの、前記導光板の入光面側の端縁部の上側エッジに対し、その直ぐ上段に位置する光学シートの、前記導光板の入光面側の端縁部の上側エッジの、前記複数の光学シートの積層方向に係る位置が、下方に位置している面状照明装置（請求項５）。
本項に記載の面状照明装置は、出射面から数えた積層段が最下段に位置する光学シートの、導光板の入光面側の端縁部の上側エッジに対し、その直ぐ上段に位置する光学シートの、導光板の入光面側の端縁部の上側エッジの、複数の光学シートの積層方向に係る位置が、下方に位置していることで、導光板の入光面側から複数の光学シートの各端縁部近傍を覆うようにして延びる遮光部材が、出射面から数えた積層段が最下段に位置する光学シートの傾斜面に倣って傾斜面を構成することとなる。そして、最下段に位置する光学シートから、その直ぐ上段に位置する光学シートへと遮光部材が乗り越える位置に至るまで、遮光部材の傾斜面を維持する。これによって、遮光部材に急峻な折り曲げ部が形成されることを防ぎ、各光学シートに対する遮光部材の固定強度を十分に確保するものである。
【００１３】
（６）上記（１）から（５）項において、前記複数の光学シートは、前記導光板の出射面から数えた積層段が一段目の第１シートと、該第１シート上に積層される第２シートと、該第２シート上に積層される第３シートとを含む面状照明装置（請求項６）。
本項に記載の面状照明装置は、導光板の出射面に積層配置される複数の光学シートが、第１シート、第２シート及び第３シートを含み、これら各シートによって、上記（１）から（５）項記載の所定の作用を奏するものである。
【００１４】
（７）対向する一対の主面の一方を光の出射面とする導光板と、該出射面に積層配置される複数の光学シートと、前記出射面の有効エリアを規定する遮光部材と、前記導光板の入光面に対向して配置される光源と、これらの構成要素を収納するためのフレームとを含む面状照明装置の、前記光学シートの固定方法であって、前記複数の光学シートを、前記出射面から数えた積層段が上段の光学シートほど、前記導光板の入光面側の端縁部の位置が、前記導光板の入光面から離間するように形成し、かつ、前記遮光部材を、前記導光板の入光面側から前記複数の光学シートの各端縁部近傍を覆うようにして延ばし、各光学シートに固定する固定方法。
（８）上記（７）項において、前記導光板の出射面の、前記入光面から中央部寄りの所定幅の範囲に、前記対向する一対の主面間の厚みを導光板の中央部に向けて薄くする傾斜面を形成し、該傾斜面よりも中央部寄りの範囲を一定の厚みとし、前記複数の光学シートの、前記導光板の入光面側の端縁部から所定幅の範囲を、前記導光板の出射面に形成された傾斜面に倣って傾斜させる固定方法。
【００１５】
（９）上記（８）項において、前記複数の光学シートのうち、前記出射面から数えた積層段が最上段に位置する光学シートが、その下段に位置する光学シートの傾斜面に掛かることなく、前記導光板の一定の厚みの部分の出射面と平行に配置する固定方法。
（１０）上記（９）項において、前記複数の光学シートのうち、前記出射面から数えた積層段が最上段に位置する光学シートの上面と、その直ぐ下段に位置する光学シートの、前記導光板の入光面側の端縁部の上側エッジとの、前記複数の光学シートの積層方向に係る位置を、一致ないし略一致させる固定方法。
【００１６】
（１１）上記（８）から（１０）項において、前記複数の光学シートのうち、前記出射面から数えた積層段が最下段に位置する光学シートの、前記導光板の入光面側の端縁部の上側エッジに対し、その直ぐ上段に位置する光学シートの、前記導光板の入光面側の端縁部の上側エッジの、前記複数の光学シートの積層方向に係る位置を、下方に配置する固定方法。
（１２）上記（７）から（１１）項において、前記複数の光学シートに、前記導光板の出射面から数えた積層段が一段目の第１シートと、該第１シート上に積層する第２シートと、該第２シート上に積層する第３シートとを含む固定方法。
そして、上記（７）から（１２）項に記載の、光学シートの固定方法によれば、各々、上記（１）から（６）項の面状照明装置に対応する作用を奏するものである。
【発明の効果】
【００１７】
本発明はこのように構成したので、光学シートにタブを形成することなく、面状照明装置における光学シートの位置決めを確実に行うことを可能とし、面状照明装置の更なる狭額縁化を促進することが可能となる。又、光学シートのタブに起因する、面状照明装置の輝度むらの発生を抑制することが可能となる。
【図面の簡単な説明】
【００１８】
【図１】本発明の実施の形態に係る面状照明装置を示す断面図である。
【図２】図１に示される面状照明装置の要部斜視図であり、（ａ）は光学シートに遮光シートを貼着する前の状態を、（ｂ）は貼着後の状態を示すものである。
【図３】板金フレームを有する面状照明装置への応用例を示す、要部斜視図である。
【図４】光学シートの表裏、上下の判別手段を示す斜視図である。
【図５】面状照明装置のフレームと光学シートとを示す斜視図であり、（ａ）は参考例として、従来のタブを有する光学シートを用いたものを、（ｂ）は本発明の実施の形態を、示すものである。
【図６】従来の面状照明装置を含む液晶表示装置を示すものであり、（ａ）は平面図、（ｂ）は（ａ）のＤ−Ｄ断面図、（ｃ）は（ａ）のＥ−Ｅ断面図である。
【発明を実施するための形態】
【００１９】
以下、本発明の実施の形態を図面に基づいて説明する。なお、従来技術と同一部分若しくは相当する部分については、適宜同一の符号を付して、詳しい説明を省略する。又、以下の説明における「上」、「下」の方向は、本説明における面状照明装置を平置きした状態での、上下方向を意味するものである。
【００２０】
図１〜図３には、本発明の実施の形態に係る面状照明装置１０を示している。この面状照明装置１０は、対向する一対の主面１２ａ、１２ｂのうちの一方１２ａを光の出射面とする導光板１２と、出射面１２ａに積層配置される複数の光学シート１８と、出射面１２ａの有効エリアを規定する遮光部材２０と、導光板１２の入光面１２ｃに対向して配置される光源１４としての（点状光源である）ＬＥＤと、これらの構成要素を収納するための、合成樹脂からなるフレーム１６とを含むものである。ところで、遮光部材２０によって規定される出射面１２ａの「有効エリア」は、導光板１２の側端面での光の反射等の影響を受けて出射光の均一性が低下する等、導光板１２の出射面１２ａの端縁部近傍に、不可避的に生じてしまう「非有効エリア」を除いたエリアである。本項に記載の面状照明装置は、導光板１２の出射面１２ａの平面視で、非有効エリアを遮光部材２０で覆い隠し、有効エリアからの出射光を最大限有効活用するものである。この遮光部材２０には、例えば遮光シートが用いられている。
なお、図１中に符号１６ｂで示される部分は、反射シート１１８を位置決めするための取付座であり、この取付座１６ｂに対して、両面テープ１２７（図６（ｂ）参照）を用いて、反射テープ１１８が固定されている。
【００２１】
又、本実施の形態では、光学シート１８は、導光板１２の出射面１２ａから数えた積層段が一段目の第１シート１８１と、第１シート１８１上に積層される第２シート１８２と、第２シート１８２上に積層される第３シート１８３とを含むものである。一例として、第１シート１８１は拡散シート、第２シート１８２は下プリズムシート、第３シート１８３は上プリズムシートである。そして、これらの各光学シート１８１、１８２、１８３は、導光板１２の、入光面１２ｃとの対向面１２ｅ（図１参照）側の端縁部１８１ｂ、１８２ｂ、１８３ｂが、フレーム１６の内周面に当接して、平面視で揃えられた状態で、導光板１２の出射面１２ａから数えた積層段が上段の光学シートほど、導光板１２の入光面１２ｃ側の端縁部１８１ａ、１８２ａ、１８３ａの位置が、導光板１２の入光面１２ｃから離間するように形成されている。
【００２２】
そして、遮光部材２０が、導光板１２の入光面１２ｃ側から、各光学シート１８１、１８２、１８３の、導光板１２の入光面１２ｃ側の各端縁部１８１ａ、１８２ａ、１８３ａの近傍を覆うようにして延びている。この、遮光部材２０は、各光学シート１８１、１８２、１８３の、導光板１２の入光面１２ｃ側の各端縁部１８１ａ、１８２ａ、１８３ａの近傍に対して、例えば両面テープ１３０（図２参照）や接着等によって固定されている。
【００２３】
又、導光板１２の出射面１２ａの、入光面１２ｃから中央部寄りの所定幅の範囲には、対向する一対の主面間の厚みを導光板の中央部に向けて薄くする傾斜面１２ｄが形成され、傾斜面１２ｄよりも中央部寄りの範囲は一定の厚みとなっている。
そして、各光学シート１８１、１８２、１８３のうち、第１シート１８１、第２シート１８２の、導光板１２の入光面１２ｃ側の端縁部１８１ａ、１８２ａから所定幅の範囲が、導光板１２の出射面１２ａに形成された傾斜面１２ｄに倣って傾斜している。
【００２４】
図１に示される例では、光源１４の配線基板１３２が、導光板１２の傾斜面１２ｄに沿って傾斜し、傾斜面１２ｄに対して両面テープ１３０で固定されている。そして、この配線基板１３２に、第１シート１８１が積層されることで、導光板１２の入光面１２ｃ側の端縁部１８１ａから所定幅の範囲が、導光板１２の傾斜面１２ｄに倣って傾斜している。又、第１シート１８１の、導光板１２の入光面１２ｃ側の端縁部１８１ａから所定幅の範囲の傾斜部分に、第２シート１８２が積層されることで、導光板１２の入光面１２ｃ側の端縁部１８２ａから所定幅の範囲も、導光板１２の傾斜面１２ｄに倣って傾斜している。なお、上記「所定幅の範囲」は、導光板１２の傾斜面１２ｄと、各シート１８１、１８２の端縁部１８１ａ、１８２ａとの位置関係によって定まるものである。
一方、導光板１２の出射面１２ａから数えた積層段が最上段に位置する、第３シート１８３は、その直ぐ下段に位置する第２シート１８２の傾斜面に掛かることなく、導光板１２の一定の厚みの部分の出射面１２ａと平行に配置されている。
【００２５】
又、図１に示されるように、各光学シート１８１、１８２、１８３のうち、導光板１２の出射面１２ａから数えた積層段が最上段に位置する第３シート１８３の上面１８３ｃと、その直ぐ下段に位置する第２シート１８２の、導光板１２の入光面１２ｃ側の端縁部１８２ａの上側エッジ１８２ｅとの、光学シート１８の積層方向に係る位置（上下方向の位置）が、一致ないし略一致している。
更に、各光学シート１８１、１８２、１８３のうち、導光板１２の出射面１２ａから数えた積層段が最下段に位置する第１シート１８１の、導光板１２の入光面側１２ｃの端縁部１８１ａの上側エッジ１８１ｅに対し、その直ぐ上段に位置する第２シート１８２の、導光板１２の入光面１２ｃ側の端縁部１８２ａの上側エッジ１８２ｅの、光学シート１８の積層方向に係る位置（上下方向の位置）が、下方に位置しているものである。
【００２６】
さて、図３には、本発明の応用例として、図１に示される合成樹脂からなるフレーム１６を、板金フレーム２２に置換した例を示している。この応用例においても、導光板１２、各光学シート１８１、１８２、１８３及び遮光部材２０は、図１、図２の例と同様の構成を有している。そして、フレームが板金フレーム１６であることにより、フレーム自体が樹脂製フレームよりも大きな強度を備えるものとなる。なお、図３では図示していないが、必要に応じて上記各構成要素の、導光板１２の入光面１２ｃと直交する側面方向の位置決めを行うための突起を、板金フレーム２２に設けることとしても良い。
【００２７】
更に、必要に応じて、図４に例示されるように、各光学シートの表裏、上下の判別手段として、例えば、第１、第２シートの、導光板の入光面側の端縁部１８１ａ、１８２ａには、Ｃ面部１８１ｃ、１８２ｃを、第３シート１８３の、導光板の入光面側の端縁部１８３ａにはタブ１８３ｄを、平面視で非対称の位置に設けることとしても良い。
【００２８】
さて、上記構成をなす、本発明の実施の形態によれば、次のような作用効果を得ることが可能である。
すなわち、本発明の実施の形態では、複数の光学シート１８１、１８２、１８３の、導光板１２の入光面１２ｃ側の端縁部１８１ａ、１８２ａ、１８３ａの位置が、導光板１２の出射面１２ａから数えた積層段が上段の光学シートほど、導光板１２の入光面１２ｃから離間するように形成されることにより、導光板１２の出射面１２ａを平面視する態様で、各光学シート１８１、１８２、１８３の、導光板１２の入光面１２ｃ側の端縁部１８１ａ、１８２ａ、１８３ａが、各々の上段に位置する光学シートに覆われることなく露出することとなる。この、各光学シート１８１、１８２、１８３の露出する端縁部１８１ａ、１８２ａ、１８３ａに、遮光部材２０が、導光板１２の入光面１２ｃ側から複数の光学シート１８の各端縁部１８１ａ、１８２ａ、１８３ａの近傍を覆うようにして延びることで、全ての光学シート１８１、１８２、１８３の各端縁部１８１ａ、１８２ａ、１８３ａ近傍が、遮光部材２０によって固定されるものである。
【００２９】
又、複数の光学シート１８１、１８２の、導光板１２の入光面１２ｃ側の端縁部１８１ａ、１８２ａから所定幅の範囲が、導光板１２の出射面１２ａに形成された傾斜面１２ｄに倣って傾斜していることにより、導光板１２の入光面１２ｃ側から複数の光学シート１８１、１８２、１８３の各端縁部１８１ａ、１８２ａ、１８３ａ近傍を覆うようにして延びる遮光部材２０が、各光学シート１８１、１８２の傾斜面に沿って固定されることとなる。これによって、導光板１２の入光面１２ｃ側から延びる遮光部材２０に、急峻な折り曲げ部が形成されることを防ぎ、各光学シート１８１、１８２、１８３に対する遮光部材２０の固定強度を十分に確保することが可能となる。
【００３０】
又、導光板１２の出射面１２ａから数えた積層段が最上段に位置する光学シート１８３については、導光板１２の一定の厚みの部分の出射面１２ａと平行に配置されることで、導光板１２の入光面１２ｃ側から複数の光学シート１８１、１８２、１８３の各端縁部１８１ａ、１８２ａ、１８３ａ近傍を覆うようにして延びる遮光部材２０の先端部２０ａの近傍も、最上段に位置する光学シート１８３上で、導光板１２の出射面１２ａと平行に配置されることとなる。そして、導光板１２の出射面１２ａと平行な遮光部材２０の面上に、ＬＣＤの偏光フィルム等の被照明体（図６のＬＣＤ１１０、一対のガラス基板１１２及び偏光板１１４を参照）を搭載することで、被照明体の安定を図ることが可能となる。
【００３１】
又、本発明の実施の形態では、最上段に位置する第３シート１８３の上面１８３ｃと、その直ぐ下段に位置する第２シート１８２の、導光板１２の入光面１２ｃ側の端縁部１８２ａの上側エッジ１８２ｅとの、光学シート１８の積層方向（上下方向）に係る位置が、一致ないし略一致している。それによって、遮光部材２０の先端部２０ａ近傍の、光学シート１８の積層方向に係る位置が、導光板１２の出射面１２ａと平行に配置されることとなる。すなわち、遮光部材２０の先端部２０ａの近傍は、最上段に位置する第３シート１８３の上面１８３ｂのみならず、その直ぐ下段に位置する第２シート１８２の端縁部１８２ａの上側エッジ１８２ｅによっても、複数の光学シート１８の積層方向に係る位置が、一致ないし略一致する態様で支持されることで、遮光部材２０の先端部２０ａ近傍は、より広範囲に渡り、導光板１２の出射面１２ａと平行に、安定支持されるものとなる。
【００３２】
又、導光板１２の出射面１２ａから数えた積層段が最下段に位置する第１シート１８１の、導光板１２の入光面１２ｃ側の端縁部１８１ａの上側エッジ１８１ｅに対し、その直ぐ上段に位置する第２シート１８２の、導光板１２の入光面１２ｃ側の端縁部１８２ａの上側エッジ１８２ｅの、複数の光学シート１８の積層方向（上下方向）に係る位置が、下方に位置している。それによって、導光板１２の入光面１２ｃ側から複数の光学シート１８の各端縁部１８１ａ、１８２ａ、１８３ａ近傍を覆うようにして延びる遮光部材２０が、最下段に位置する第１シート１８１の傾斜面に倣って傾斜面を構成することとなる。そして、最下段に位置する光学シート１８１から、その直ぐ上段に位置する光学シート１８２へと遮光部材２０が乗り越える位置に至るまで、遮光部材２０の傾斜面を維持する（図１の、遮光部材２０の符号１８２ｅ周辺部を参照）。これによっても、遮光部材２０に急峻な折り曲げ部が形成されることを防ぎ、各光学シート１８に対する遮光部材２０の固定強度を十分に確保することが可能となる。
【００３３】
以上の作用効果によって、本発明の実施の形態によれば、図５（ｂ）に示されるように、光学シート１８にタブ（図５（ａ）のタブ１２０ａ、及び、タブ１２０ａを受け入れるためのフレーム１２４の凹部１２４ｃ参照）を形成することなく、面状照明装置１０における光学シート１８の位置決めを確実に行うことが可能となる。そして、光学シート１８にタブを設けることに起因するフレーム１６の矢印Ｂ方向の薄肉化を図り、面状照明装置１０の更なる狭額縁化を促進することが可能となる。又、光学シート１８にタブを設けることに起因する、面状照明装置１０の輝度むらの発生を抑制することが可能となる。
なお、本発明の実施の形態では、導光板の出射面に積層配置される複数の光学シートが、第１シート１８１、第２シート１８２及び第３シート１８３を含み、これら各シート１８によって、上記作用効果を奏するものであるが、光学シート１８の枚数に増減があっても、同様の作用効果が得られることは、理解されるであろう。
【符号の説明】
【００３４】
１０ 面状照明装置、１２ 導光板、１２ａ：出射面、１２ｂ：出射面と対向する主面、１２ｃ：入光面、１２ｄ：傾斜面、１２ｅ：対向面、  １４：光源、１６：フレーム、  １８：光学シート、１８１：第１シート、１８２：第２シート、１８３：第３シート、  １８１ａ、１８２ａ、１８３ａ：導光板の入光面側の端縁部、１８３ｃ：第３シートの上面、  １８１ｅ、１８２ｅ：端縁部の上側エッジ、２０：遮光部材、２２：板金フレーム
【図１】
2013171723.tif 000003
【図２】
2013171723.tif 000004
【図３】
2013171723.tif 000005
【図４】
2013171723.tif 000006
【図５】
2013171723.tif 000007
【図６】
2013171723.tif 000008